(57)【要約】【課題】Ｂｌｕｅｔｏｏｔｈ自動接続を選択的に行い、使い勝手を高める。【解決手段】車載ナビゲーション装置１は、携帯電話機２１ａ〜２１ｎ毎のＢｌｕｅｔｏｏｔｈ自動接続を許可するか禁止するかのユーザによる設定操作が受付けられると、その設定操作の内容を外部メモリ１１に保持し、また、イグニッション信号がオンした旨が検出されると、その時点で選択されている携帯電話機に関して設定操作の内容を参照し、Ｂｌｕｅｔｏｏｔｈ自動接続を許可する設定がなされている場合に限って当該携帯電話機との間でＢｌｕｅｔｏｏｔｈ自動接続する。携帯電話機２１ａ〜２１ｎ毎にＢｌｕｅｔｏｏｔｈ自動接続を許可するか禁止するかを設定しておくことにより、イグニッション信号がオンしたときのＢｌｕｅｔｏｏｔｈ自動接続を選択的に行うことができる。【選択図】図１
2007116254.tif 000002
【特許請求の範囲】
【請求項１】
Ｂｌｕｅｔｏｏｔｈ（登録商標）通信手段をＢｌｕｅｔｏｏｔｈ通信端末との間でＢｌｕｅｔｏｏｔｈ自動接続させることが可能な制御手段を備えたＢｌｕｅｔｏｏｔｈ通信機能付き車載装置であって、
Ｂｌｕｅｔｏｏｔｈ通信端末毎の前記Ｂｌｕｅｔｏｏｔｈ通信手段によるＢｌｕｅｔｏｏｔｈ自動接続を許可するか禁止するかのユーザによる設定操作を受付ける設定操作受付手段と、
前記設定操作受付手段に受付けられたユーザによる設定操作の内容を保持する設定内容保持手段と、
車両の動力源が起動したか否かを検出する起動検出手段と、
Ｂｌｕｅｔｏｏｔｈ通信端末毎の前記Ｂｌｕｅｔｏｏｔｈ通信手段によるＢｌｕｅｔｏｏｔｈ自動接続を許可するか禁止するかのユーザによる設定操作が前記設定操作受付手段に受付けられると、その設定操作の内容を前記設定内容保持手段に保持させ、車両の動力源が起動した旨が前記起動検出手段により検出されると、その時点で選択されているＢｌｕｅｔｏｏｔｈ通信端末に関して前記設定内容保持手段に保持されている設定操作の内容を参照し、Ｂｌｕｅｔｏｏｔｈ自動接続を許可する設定がなされている場合に限って前記Ｂｌｕｅｔｏｏｔｈ通信手段を当該Ｂｌｕｅｔｏｏｔｈ通信端末との間でＢｌｕｅｔｏｏｔｈ自動接続させる制御手段とを備えたことを特徴とするＢｌｕｅｔｏｏｔｈ通信機能付き車載装置。
【請求項２】
請求項１に記載したＢｌｕｅｔｏｏｔｈ通信機能付き車載装置において、
前記設定操作受付手段は、Ｂｌｕｅｔｏｏｔｈ通信端末毎の前記Ｂｌｕｅｔｏｏｔｈ通信手段によるＢｌｕｅｔｏｏｔｈ自動接続を許可するか禁止するかのユーザによる設定操作を複数のＢｌｕｅｔｏｏｔｈ通信端末に対して同時に受付けることを特徴とするＢｌｕｅｔｏｏｔｈ通信機能付き車載装置。
【請求項３】
請求項１または２に記載したＢｌｕｅｔｏｏｔｈ通信機能付き車載装置において、
前記制御手段は、Ｂｌｕｅｔｏｏｔｈ自動接続を禁止する設定がなされている場合には、ユーザによる接続意思があることを確認したことを条件として前記Ｂｌｕｅｔｏｏｔｈ通信手段を当該Ｂｌｕｅｔｏｏｔｈ通信端末との間でＢｌｕｅｔｏｏｔｈ接続させることを特徴とするＢｌｕｅｔｏｏｔｈ通信機能付き車載装置。
【発明の詳細な説明】
【技術分野】
【０００１】
本発明は、Ｂｌｕｅｔｏｏｔｈ通信手段をＢｌｕｅｔｏｏｔｈ通信端末との間でＢｌｕｅｔｏｏｔｈ自動接続させることが可能な制御手段を備えたＢｌｕｅｔｏｏｔｈ通信機能付き車載装置に関する。
【背景技術】
【０００２】
近年、例えばＢｌｕｅｔｏｏｔｈ（登録商標）通信機能を有する携帯電話機やＢｌｕｅｔｏｏｔｈ通信アダプタを装着（外付け）可能な携帯電話機が普及しており、それに伴って、Ｂｌｕｅｔｏｏｔｈ通信機能を有する携帯電話機やＢｌｕｅｔｏｏｔｈ通信アダプタが装着されている携帯電話機が車室内に持込まれると、その車室内に持込まれた携帯電話機と車両に搭載されている車載ハンズフリー装置とがＢｌｕｅｔｏｏｔｈ自動接続する構成が供されている（例えば特許文献１，２参照）。
【特許文献１】特開２００３−１９８７１３号公報
【特許文献２】特開２００３−２１８９９６号公報
【発明の開示】
【発明が解決しようとする課題】
【０００３】
ところで、車載ハンズフリー装置では、イグニッション信号がオンされた旨をトリガとして起動すると、登録されている（既にＰｉｎＣｏｄｅが入力されて認証されている）携帯電話機のうちから選択されている（例えば過去に遡って最後にＢｌｕｅｔｏｏｔｈ接続した）携帯電話機との間でＢｌｕｅｔｏｏｔｈ自動接続するように構成されているのが一般的である。
【０００４】
しかしながら、このような構成では、携帯電話機が車室外にある場合であってもＢｌｕｅｔｏｏｔｈ電波が届く範囲であれば、携帯電話機の所有者以外の人がエンジンを起動させると（イグニッション信号がオンされると）、車室外にある携帯電話機と車載ハンズフリー装置とがＢｌｕｅｔｏｏｔｈ自動接続してしまう場合があり、使い勝手が悪いという問題がある。
【０００５】
本発明は、上記した事情に鑑みてなされたものであり、その目的は、Ｂｌｕｅｔｏｏｔｈ自動接続を選択的に行うことができ、使い勝手を高めることができるＢｌｕｅｔｏｏｔｈ通信機能付き車載装置を提供することにある。
【課題を解決するための手段】
【０００６】
請求項１に記載した発明によれば、制御手段は、Ｂｌｕｅｔｏｏｔｈ通信端末毎のＢｌｕｅｔｏｏｔｈ通信手段によるＢｌｕｅｔｏｏｔｈ自動接続を許可するか禁止するかのユーザによる設定操作が設定操作受付手段に受付けられると、その設定操作の内容を設定内容保持手段に保持させ、また、車両の動力源が起動した旨が起動検出手段により検出されると、その時点で選択されているＢｌｕｅｔｏｏｔｈ通信端末に関して設定内容保持手段に保持されている設定操作の内容を参照し、Ｂｌｕｅｔｏｏｔｈ自動接続を許可する設定がなされている場合に限ってＢｌｕｅｔｏｏｔｈ通信手段を当該Ｂｌｕｅｔｏｏｔｈ通信端末との間でＢｌｕｅｔｏｏｔｈ自動接続させる。これにより、Ｂｌｕｅｔｏｏｔｈ通信端末毎にＢｌｕｅｔｏｏｔｈ自動接続を許可するか禁止するかを設定しておくことにより、車両の動力源が起動したときのＢｌｕｅｔｏｏｔｈ自動接続を選択的に行うことができ、使い勝手を高めることができる。
【０００７】
請求項２に記載した発明によれば、設定操作受付手段は、Ｂｌｕｅｔｏｏｔｈ通信端末毎のＢｌｕｅｔｏｏｔｈ通信手段によるＢｌｕｅｔｏｏｔｈ自動接続を許可するか禁止するかのユーザによる設定操作を複数のＢｌｕｅｔｏｏｔｈ通信端末に対して同時に受付ける。これにより、Ｂｌｕｅｔｏｏｔｈ通信端末毎にＢｌｕｅｔｏｏｔｈ自動接続を許可するか禁止するかを例えば所属を単位として包括される複数のＢｌｕｅｔｏｏｔｈ通信端末に対して同時に設定しておくことができ、使い勝手をより高めることができる。
【０００８】
請求項３に記載した発明によれば、制御手段は、Ｂｌｕｅｔｏｏｔｈ自動接続を禁止する設定がなされている場合には、ユーザによる接続意思があることを確認したことを条件としてＢｌｕｅｔｏｏｔｈ通信手段を当該Ｂｌｕｅｔｏｏｔｈ通信端末との間でＢｌｕｅｔｏｏｔｈ接続させる。これにより、Ｂｌｕｅｔｏｏｔｈ自動接続の禁止を設定しておいた場合であっても、ユーザによる接続意思があること条件としてＢｌｕｅｔｏｏｔｈ接続することができ、使い勝手をより高めることができる。
【発明を実施するための最良の形態】
【０００９】
以下、本発明の一実施形態として、ハンズフリー機能付き車載ナビゲーション装置（以下、単に車載ナビゲーション装置と称する）に適用したものについて、図面を参照して説明する。車載ナビゲーション装置１は、装置全体の動作全般を制御する制御部２（本発明でいう制御手段）と、地磁気センサ３ａ、ジャイロスコープ３ｂ、距離センサ３ｃ及びＧＰＳ受信機３ｄから構成されている位置検出部３と、地図データを入力する地図データ入力部４と、ユーザの操作を受付ける操作スイッチ部５（本発明でいう設定操作受付手段）と、Ｂｌｕｅｔｏｏｔｈ通信機能付き携帯電話機（以下、単に携帯電話機と称する）（本発明でいうＢｌｕｅｔｏｏｔｈ通信端末）２１ａ〜２１ｎとの間でＢｌｕｅｔｏｏｔｈ接続を行うＢｌｕｅｔｏｏｔｈ通信部６（本発明でいうＢｌｕｅｔｏｏｔｈ通信手段）と、イグニッション信号を入力してオンオフを検出する車両インタフェース部７（本発明でいう起動検出手段）と、マイクロホン８に入力された送話音声及びスピーカ９から出力される受話音声を音声処理する音声処理部１０と、外部メモリ１１（本発明でいう設定内容保持手段）と、例えば液晶ディスプレイから構成されている表示部１２と、音声認識を行う音声認識部１３とを備えて構成されている。
【００１０】
この場合、操作スイッチ部５は、携帯電話機２１ａ〜２１ｎ毎のＢｌｕｅｔｏｏｔｈ通信部６によるＢｌｕｅｔｏｏｔｈ自動接続を許可するか禁止するかのユーザによる設定操作を受付け、外部メモリ１１は、そのユーザによる設定操作の内容を保持する。具体的に説明すると、ユーザが携帯電話機２１ａに対してＢｌｕｅｔｏｏｔｈ自動接続を許可する旨の設定操作を行うと共に携帯電話機２１ｂ〜２１ｎに対してＢｌｕｅｔｏｏｔｈ自動接続を禁止する旨の設定操作を行うと、外部メモリ１１は、携帯電話機２１ａに対して「自動接続オン」を保持すると共に携帯電話機２１ｂ〜２１ｎに対して「自動接続オフ」を保持する。また、この場合、操作スイッチ部５は、携帯電話機２１ａ〜２１ｎ毎のＢｌｕｅｔｏｏｔｈ通信部６によるＢｌｕｅｔｏｏｔｈ自動接続を許可するか禁止するかのユーザによる設定操作を複数の携帯電話機２１ａ〜２１ｎに対して同時に受付けることも可能となっている。
【００１１】
一方、携帯電話機２１ａ〜２１ｎは、携帯電話網との間でセルラー無線通信を行うセルラー無線通信機能を有すると共に車載ナビゲーション装置１との間でＢｌｕｅｔｏｏｔｈ通信を行うＢｌｕｅｔｏｏｔｈ通信機能を有しており、車載ナビゲーション装置１のＢｌｕｅｔｏｏｔｈ通信圏内に位置していると、登録されて選択されているものであれば、車載ナビゲーション装置１とＢｌｕｅｔｏｏｔｈ自動接続することが可能に構成されている。
【００１２】
次に、上記した構成の作用について、図２及び図３を参照して説明する。
車載ナビゲーション装置１において、制御部２は、ユーザによるＢｌｕｅｔｏｏｔｈ自動接続の設定操作が行われたか否かを判定すると共に（ステップＳ１）、イグニッション信号がオンされたか否かを判定する（ステップＳ２）。
【００１３】
ここで、制御部２は、ユーザによるＢｌｕｅｔｏｏｔｈ自動接続の設定操作が行われた旨を検出すると（ステップＳ１にて「ＹＥＳ」）、その設定操作の内容を外部メモリ１１に保持させる（ステップＳ３）。具体的に説明すると、制御部２は、携帯電話機２１ａに対してＢｌｕｅｔｏｏｔｈ自動接続を許可する旨の設定操作が行われた旨を検出すると、携帯電話機２１ａに対して「自動接続オン」を保持させ、携帯電話機２１ｂ〜２１ｎに対してＢｌｕｅｔｏｏｔｈ自動接続を禁止する旨の設定操作が行われた旨を検出すると、携帯電話機２１ｂ〜２１ｎに対して「自動接続オフ」を保持させる。
【００１４】
また、制御部２は、イグニッション信号がオンされた（本発明でいう車両の動力源が起動した）旨を検出すると（ステップＳ２にて「ＹＥＳ」）、その時点で選択されている（（例えば過去に遡って最後にＢｌｕｅｔｏｏｔｈ接続した、または、ユーザが意図的に選択した）携帯電話機に関して外部メモリ１１に保持されている設定内容を参照し（ステップＳ４）、Ｂｌｕｅｔｏｏｔｈ自動接続が許可されている（自動接続オンが設定されている）旨を検出すると、Ｂｌｕｅｔｏｏｔｈ接続処理を実施し（ステップＳ６）、上記したステップＳ１，Ｓ２に戻る。これに対して、制御部２は、Ｂｌｕｅｔｏｏｔｈ自動接続が禁止されている（自動接続オフが設定されている）旨を検出すると、図３に示すような問合画面を表示部１２に表示させ（ステップＳ７）、Ｂｌｕｅｔｏｏｔｈ接続するか否かをユーザに問合せる。
【００１５】
そして、制御部２は、ユーザにより「ＹＥＳ」キー１２ａが問合画面で押下されたことにより、ユーザによる接続意思がある旨を検出すると、この場合も、Ｂｌｕｅｔｏｏｔｈ接続処理を実施し（ステップＳ６）、上記したステップＳ１，Ｓ２に戻る。これに対して、制御部２は、ユーザにより「ＮＯ」キー１２ｂが問合画面で押下されたことにより、ユーザによる接続意思がない旨を検出すると、Ｂｌｕｅｔｏｏｔｈ接続処理を実施することなく、上記したステップＳ１，Ｓ２に戻る。
【００１６】
以上に説明したように本実施形態によれば、車載ナビゲーション装置１において、携帯電話機２１ａ〜２１ｎ毎のＢｌｕｅｔｏｏｔｈ自動接続を許可するか禁止するかのユーザによる設定操作が受付けられると、その設定操作の内容を外部メモリ１１に保持し、また、イグニッション信号がオンした旨が検出されると、その時点で選択されている携帯電話機に関して設定操作の内容を参照し、Ｂｌｕｅｔｏｏｔｈ自動接続を許可する設定がなされている場合に限って当該携帯電話機との間でＢｌｕｅｔｏｏｔｈ自動接続するように構成したので、携帯電話機２１ａ〜２１ｎ毎にＢｌｕｅｔｏｏｔｈ自動接続を許可するか禁止するかを設定しておくことにより、イグニッション信号がオンしたときのＢｌｕｅｔｏｏｔｈ自動接続を選択的に行うことができ、使い勝手を高めることができる。
【００１７】
また、携帯電話機２１ａ〜２１ｎ毎のＢｌｕｅｔｏｏｔｈ自動接続を許可するか禁止するかのユーザによる設定操作を複数の携帯電話機２１ａ〜２１ｎに対して同時に受付けるように構成したので、携帯電話機２１ａ〜２１ｎ毎にＢｌｕｅｔｏｏｔｈ自動接続を許可するか禁止するかを複数の携帯電話機２１ａ〜２１ｎに対して同時に設定しておくことができ、使い勝手をより高めることができる。
【００１８】
さらに、Ｂｌｕｅｔｏｏｔｈ自動接続を禁止する設定がなされている場合には、ユーザによる接続意思があることを確認したことを条件として当該携帯電話機との間でＢｌｕｅｔｏｏｔｈ接続するように構成したので、Ｂｌｕｅｔｏｏｔｈ自動接続の禁止を設定しておいた場合であっても、ユーザによる接続意思があること条件としてＢｌｕｅｔｏｏｔｈ接続することができ、使い勝手をより高めることができる。
【００１９】
本発明は、上記した実施形態にのみ限定されるものではなく、以下のように変形または拡張することができる。
Ｂｌｕｅｔｏｏｔｈ通信機能付き車載装置は、ハンズフリー機能付き車載ナビゲーション装置に限らず、単独の車載ハンズフリー装置であっても良いし、ハンズフリー機能を有しない車載ナビゲーション装置であっても良いし、車両に組込まれて構成されるものであっても良い。Ｂｌｕｅｔｏｏｔｈ通信端末は、Ｂｌｕｅｔｏｏｔｈ通信機能付き携帯電話機から構成されるものに限らず、Ｂｌｕｅｔｏｏｔｈ通信アダプタを装着（外付け）可能な携帯電話機から構成されるものであっても良いし、Ｂｌｕｅｔｏｏｔｈ通信機能付き携帯情報端末やＢｌｕｅｔｏｏｔｈ通信アダプタを装着可能な携帯情報端末から構成されるものであっても良い。Ｂｌｕｅｔｏｏｔｈ接続するか否かをユーザに問合せる場合に、問合画面を表示する構成に限らず、音声ガイダンスを出力する構成であっても良い。
【図面の簡単な説明】
【００２０】
【図１】本発明の一実施形態を示す機能ブロック図
【図２】フローチャート
【図３】問合画面の一例を示す図
【符号の説明】
【００２１】
図面中、１はハンズフリー機能付き車載ナビゲーション装置（Ｂｌｕｅｔｏｏｔｈ通信機能付き車載装置）、２は制御部（制御手段）、６はＢｌｕｅｔｏｏｔｈ通信部（Ｂｌｕｅｔｏｏｔｈ通信手段）、７は車両インタフェース部（起動検出手段）、１１は外部メモリ（設定内容保持手段）、２１はＢｌｕｅｔｏｏｔｈ通信機能付き携帯電話機（Ｂｌｕｅｔｏｏｔｈ通信端末）である。
【図１】
2007116254.tif 000003
【図２】
2007116254.tif 000004
【図３】
2007116254.tif 000005